(57)【特許請求の範囲】
【請求項１】
水、ジュース、紅茶、日本茶等の市販の飲料容器を冷却して、前記飲料容器内部の飲料を供給する冷却飲料供給装置を備える冷蔵庫であって、
冷蔵室の前面を開閉する扉の内面側に設けられ、前記飲料容器を、その口部を下方に向けた姿勢で保持し、かつ、該口部が容器下部よりも前方に位置するように垂線に対して前後方向に傾斜した姿勢に保持する容器保持部と、
前記冷蔵室の扉外面側に設けられ、前記飲料が取出される飲料取出部と、
前記飲料容器の口部に着脱自在に取付けられ、前記飲料容器が前記容器保持部に保持された状態で前記扉を内外に貫通して、前記飲料容器から飲料を前記飲料取出部に供給する栓部材と、
前記冷蔵室の扉外面側から操作可能に配され、前記栓部材による飲料の供給を制御する制御部とよりなり、
前記栓部材が、前記飲料容器内の飲料の流出を規制する弁、及び該弁を支持する弁支持部を備える胴部と、前記胴部の一端部に着脱自在に結合され前記胴部と前記飲料容器の口部とを接続する接続部と、前記胴部の他端部に着脱自在に結合され前記扉を内外に貫通する給液経路部とよりなり、
前記弁支持部が、前記胴部と前記給液経路部との結合部の外側に延出され、この延出部に前記胴部の外周を取り囲む環状の弁操作部が設けられ、
前記制御部が、前記扉外面に設けられた操作部を備えるとともに、該操作部を操作することで前記栓部材の前記弁操作部を動作させて前記弁の開閉を行う
ことを特徴とする冷蔵庫。
【請求項２】
前記胴部の前記一端部の内周面に複数の突起を有するとともにこの複数の突起とそれぞれ係合する複数の突起を前記接続部の外周面に有して、これら突起同士の係合により前記胴部と前記接続部とが結合され、
前記胴部の前記他端部の外周面に複数の突起を有するとともにこの複数の突起とそれぞれ係合する複数の突起を前記給液経路部の内周面に有して、これら突起同士の係合により前記胴部と前記給液経路部とが結合される
ことを特徴とする請求項１記載の冷蔵庫。
【請求項３】
前記胴部と前記給液経路部との結合部に、前記胴部内に外気を供給するための空気流路が設けられた
ことを特徴とする請求項１記載の冷蔵庫。
【請求項４】
前記胴部の前記他端部の外周面に前記給液経路部が結合され、この外周面と前記給液経路部の内周面との間に前記空気流路が形成され、
前記胴部の前記弁を支持する弁支持部が、前記空気流路を通って前記結合部の外側に延出され、この延出された延出部に前記弁を閉状態に付勢する付勢部材が配された
ことを特徴とする請求項３記載の冷蔵庫。
【請求項５】
前記飲料容器が、ペットボトルに飲料を充填したものであることを特徴とする請求項１に記載の冷蔵庫。
【発明の詳細な説明】
【０００１】
【発明の属する技術分野】
本発明は、冷却飲料供給装置を備える冷蔵庫に関する。
【０００２】
【従来の技術及び発明が解決しようとする課題】
従来より、冷たい飲料水を供給する装置として、冷却機能を有する箱体内に冷水用の専用タンクを設置し、箱体外部からその冷水を取出す冷水器が一般に普及している。また、以前には、冷蔵庫の扉内側に冷水用の専用タンクを設置してその扉外部から冷水を取出す冷水器があった。
【０００３】
このような従来の冷水器では、専用タンクを使用しているため、長期間の使用によって、水に含まれているミネラル分等の物質や水垢が当該タンク内面に付着する。そのため、頻繁にタンク内面を清掃しなければならず、手入れが面倒であるという問題がある。また、このような専用タンクを有する冷水器では、しばらく使用しない状態が続くとカビ等が発生して衛生的にも問題がある。
【０００４】
特に、近年広く普及している、ミネラルウォータやお茶等の飲料をペットボトルに入れたペットボトル飲料を上記専用タンクに入れて飲料を供給する場合、これら市販のペットボトル飲料の「水」は通常ほとんどミネラルウォータであるため、水道水よりもミネラル分が多く、よって、上述した手入れや衛生上の問題がさらに促進されてしまう。この問題は、お茶等の水以外の飲料を供給する場合に、その沈殿物などによってより顕著に現われる。
【０００５】
そこで、本発明は、上記の点に鑑み、手入れが簡便であり、かつ衛生的である冷却飲料供給装置を備える冷蔵庫を提供することを目的とする。
【０００６】
【課題を解決するための手段】
本発明の請求項１の冷蔵庫は、水、ジュース、紅茶、日本茶等の市販の飲料容器を冷却して、前記飲料容器内部の飲料を供給する冷却飲料供給装置を備える冷蔵庫であって、
冷蔵室の前面を開閉する扉の内面側に設けられ、前記飲料容器を、その口部を下方に向けた姿勢で保持し、かつ、該口部が容器下部よりも前方に位置するように垂線に対して前後方向に傾斜した姿勢に保持する容器保持部と、前記冷蔵室の扉外面側に設けられ、前記飲料が取出される飲料取出部と、前記飲料容器の口部に着脱自在に取付けられ、前記飲料容器が前記容器保持部に保持された状態で前記扉を内外に貫通して、前記飲料容器から飲料を前記飲料取出部に供給する栓部材と、前記冷蔵室の扉外面側から操作可能に配され、前記栓部材による飲料の供給を制御する制御部とよりなり、前記栓部材が、前記飲料容器内の飲料の流出を規制する弁、及び該弁を支持する弁支持部を備える胴部と、前記胴部の一端部に着脱自在に結合され前記胴部と前記飲料容器の口部とを接続する接続部と、前記胴部の他端部に着脱自在に結合され前記扉を内外に貫通する給液経路部とよりなり、前記弁支持部が、前記胴部と前記給液経路部との結合部の外側に延出され、この延出部に前記胴部の外周を取り囲む環状の弁操作部が設けられ、前記制御部が、前記扉外面に設けられた操作部を備えるとともに、該操作部を操作することで前記栓部材の前記弁操作部を動作させて前記弁の開閉を行うものである。
【０００７】
ここで、市販の飲料容器とは、合成樹脂製又はガラス製の容器など（例えば、ペットボトルやガラス瓶など）に、水、お茶、ジュースなどの飲料が充填されたものであって、市販されているものをいう。特に、上記ペットボトルと称される、ポリエチレンテレフタレートなどのポリエステル樹脂より形成されたボトルに飲料を充填したものは、取扱性などの点より好適である（請求項５）。
【０００９】
請求項２の冷蔵庫は、請求項１において、前記胴部の前記一端部の内周面に複数の突起を有するとともにこの複数の突起とそれぞれ係合する複数の突起を前記接続部の外周面に有して、これら突起同士の係合により前記胴部と前記接続部とが結合され、前記胴部の前記他端部の外周面に複数の突起を有するとともにこの複数の突起とそれぞれ係合する複数の突起を前記給液経路部の内周面に有して、これら突起同士の係合により前記胴部と前記給液経路部とが結合されるものである。
【００１０】
請求項３の冷蔵庫は、請求項１において、前記胴部と前記給液経路部との結合部に、前記胴部内に外気を供給するための空気流路が設けられたものである。
【００１１】
請求項４の冷蔵庫は、請求項３において、前記胴部の前記他端部の外周面に前記給液経路部が結合され、この外周面と前記給液経路部の内周面との間に前記空気流路が形成され、前記胴部の前記弁を支持する弁支持部が、前記空気流路を通って前記結合部の外側に延出され、この延出された延出部に前記弁を閉状態に付勢する付勢部材が配されたものである。
【００１２】
【作用】
請求項１の冷蔵庫では、市販の飲料容器の口部を封止する栓に代えて栓部材を取付けるとともに、該容器を、冷蔵室内に、その内部飲料を供給できる姿勢にて容器保持部に取付ける。そして、冷蔵室の外側から制御部を操作して、飲料容器内の飲料を栓部材を介して飲料取出部に流出させ冷蔵庫外に供給する。このように、市販の飲料容器の当該容器を飲料供給用のタンクとして使用し、一本毎に新しいものに更新するので、従来の専用タンクのように内面に水垢やミネラル分が付着することがない。また、この飲料容器の口部に着脱自在に取付けられる栓部材が、扉を内外に貫通して、容器口部と飲料取出部とを接続しているので、飲料容器交換の度に、飲料が流出する飲料流路の全てを一体で取外すことができ、よって、この飲料流路の清掃忘れを防止することができる。また、容器保持部が上記のように飲料容器を傾斜した姿勢に保持するので、飲料容器の着脱性が向上し、また、飲料の安定的流出が図られる。更に、弁を支持する弁支持部が飲料流路外に延出され、この延出部に設けた弁操作部を、扉外側に設けられた制御部の操作部を操作することで動作させて、弁を開閉するようにしたので、扉外側まで延びる飲料流路内に配された弁をその外側から直接作動させることができる。また、この弁操作部が環状であるので、飲料容器を容器保持部に装着する際に、栓部材の円周方向における位置決めが不要である。
【００１３】
また、請求項１の冷蔵庫では、栓部材が、飲料の流出を規制する胴部と、接続部と、給液経路部との３部材に分割可能であるため、栓部材内部の清掃が容易である。
【００１４】
請求項２の冷蔵庫では、胴部の一端部の内周面に設けられた複数の突起を、これら複数の突起とそれぞれ係合するように接続部の外周面に設けられた複数の突起と係合させることにより、胴部と接続部とを結合するので、両者の着脱を短時間で行なうことができる。また、胴部の他端部の外周面に設けられた複数の突起を、これら複数の突起とそれぞれ係合するように給液経路部の内周面に設けられた複数の突起と係合させることにより、胴部と給液経路部とを結合するので、両者の着脱を短時間で行なうことができる。よって、栓部材の清掃が楽である。
【００１５】
請求項３の冷蔵庫では、栓部材の胴部と給液経路部との結合部に設けられた空気流路から、胴部内に外気が供給されるので、飲料容器内の飲料をスムースに外部に流出させることができる。
【００１６】
請求項４の冷蔵庫では、飲料を供給する際、胴部と給液経路部との結合部に形成された空気流路を通って給液経路部の外側に延出された弁支持部の延出部を、制御部により、該延出部に配された付勢部材の付勢力に抗じて動作させ、弁を開ける。このように、弁支持部が胴部と給液経路部との結合部の外側に延設されているので、扉外側まで延びる飲料流路内に配された弁をその外側から直接作動させることができる。また、付勢部材が飲料流路外に配されているため、飲料の流れがスムースであり、飲料流路の清掃性に優れ、付勢部材の腐食を防止することができ、また、飲料流路内に残留する飲料の量を削減することができる。
【００１７】
【発明の実施の形態】
以下、本発明の一実施例に係る冷却飲料供給装置１０を図１〜１０を参照して説明する。
【００１８】
この冷却飲料供給装置１０は、図１〜３に示すように、冷蔵庫１の冷蔵室２の扉３に配されており、冷蔵室２内に配されたペットボトル４内の飲料を扉３を介して外部に供給するものである。
【００１９】
符号１２は、ペットボトル４をその内部飲料が供給できる姿勢で保持するボトル保持部であり、扉３内面側に設けられている。このボトル保持部１２は、ペットボトル４を、その口部を下方に向けた姿勢で保持し、かつ、ペットボトル４の着脱性向上及び飲料の安定的流出を図るため、当該口部がボトル下部よりも前方に位置するように垂線に対して前後方向にやや傾斜した姿勢に保持する。
【００２０】
ボトル保持部１２は、扉３内面側に取着された内面パネル５によりポケット状に形成されており、その左右側壁１２ａ、１２ｂの間隔ｗが、ペットボトル４が通常有する幅方向寸法（２Ｌ入り、１．５Ｌ入り等の複数種あるペットボトルにつき、円形であればその直径、矩形であればその短辺の寸法）よりもやや大きく設定されている。そして、図３及び図９に示すように、このボトル保持部１２の後壁１２ｃ上端部には、ペットボトル４の着脱性を向上させる回転式保持部材１４が、水平軸１６に回動可能に取付けられている。この回転式保持部材１４は、上部が前記間隔ｗと同一間隔に配された左右の保持腕を有する断面略コ字状に、下部が板状に形成されており、ペットボトル４の装入によって、該上部が後方に回動した状態から前方に回動し、該下部がボトル保持部１２の後壁１２ｃ上端部に係止されて後壁１２ｃと面一になって、ペットボトル４を支持する。
【００２１】
ボトル保持部１２の底面には、ペットボトル４の口部が挿入される挿入孔１８が形成されている。この挿入孔１８は、ボトル保持部１２の底面前端部に、水平軸により回動自在に配された可動底板２０によって、開閉可能になっている。
【００２２】
符号２２は、扉３前面に設けられた飲料取出部であり、容器保持部１２の下方において、冷蔵室２内部にやや突出して形成されている。この飲料取出部２２の底面には飲料の床面への落下を防止する受け皿２４が着脱自在に配されている。
【００２３】
符号２６は、ペットボトル４の口部に、市販時に配された栓に代えて取付けられる栓部材であり、ペットボトル４がボトル保持部１２に保持された状態で、ボトル保持部１２の挿入孔１８に挿入され、扉３を内外に貫通して、その下端部が飲料取出部２２から外部に突出するよう構成されている。
【００２４】
この栓部材２６は、図４に示すように、ペットボトル４内の飲料の流出を規制する胴部２８と、この胴部２８の上端部に着脱自在に結合される接続部３０と、胴部２８の下端部に着脱自在に結合される給液経路部３２とよりなる。
【００２５】
胴部２８は、接続部３０が結合される円筒状の上端部と、給液経路部３２が結合される上端部よりも径小の円筒状の下端部と、上端部から下端部に飲料を導く下方ほど徐々に流路が絞られたガイド部２８ａとよりなる漏斗状に形成されている。
【００２６】
この胴部２８の上端部の内周面には、周方向に所定の間隔を開けて同一形状の独立した突起３４が３個形成されており、この突起３４は、所定の長さを有して周方向に延び、その一端が他端よりも軸方向にやや傾斜して形成されている。同様に、胴部２８下端部の外周面にも、３個の独立した突起３６、３６、３６が形成されている。
【００２７】
符号３８は、飲料の流出を規制する弁であり、ガイド部２８ａの下端部を弁座として胴部２８内に配されている。この弁３８は、シリコンゴム等の軟質材料よりなる円盤形状を有してその上下両面が凸状に形成されており、ガイド部２８ａの下端部と当接することによって飲料流路が閉塞されて、ガイド部２８ａからその下方への飲料の流れが閉鎖される。
【００２８】
符号４０は、弁３８を軸方向に移動可能に支持する弁支持部材であり、図４及び図６（ａ）に示すように、軸方向に延びて上端部に弁３８が嵌着された弁軸４０ａと、弁軸４０ａの下端から放射状に延び、胴部２８下端部の外周面に沿って上記各突起３６間を通って上方に延設され、さらに外方に延設された３本の弁軸支持部４０ｂ、４０ｂ、４０ｂと、この３本の弁軸支持部４０ｂ、４０ｂ、４０ｂの外端に接続され、胴部２８を取囲む環状の弁操作部４０ｃとよりなる。弁軸支持部４０ｂは、図６（ｂ）に示すように、その断面形状が、上下に対角線を配した矩形形状に形成されている。
【００２９】
符号４２は、弁操作部４０ｃの上面に配されて、胴部２８の外周を取囲むコイル状のスプリングであり、弁３８が閉状態になるように付勢している。このスプリング４２は、その外周が、胴部２８の上端部と同一径を有してその下端に着脱自在に結合されたカバー４４によって覆われており、また、その上端が、このカバー４４の内周に設けられた凹部内に係止されている。なお、このカバー４４と胴部２８との結合は、後述する胴部２８と接続部３０との結合同様に、独立した複数の突起４６、４６…によりなされており、胴部２８からカバー４４を外す際には、弁３８を弁軸４０ａから外した後に、カバー４４を所定方向に捻ればよい。
【００３０】
接続部３０は、胴部２８よりやや径大な環状のハンドル部３０ａと、その上下面からそれぞれ上下方向に延設された上下の円筒状の取付部３０ｂ、３０ｃとよりなる。両取付部３０ｂ、３０ｃは同一外径を有し、その外周面には、胴部２８上端部の各突起３４、３４、３４間に挿入され、図４の矢印Ｊの方向に接続部３０を捻ることにより、これら各突起３４、３４、３４の下方にそれぞれ潜入して係止される３個の独立した突起４８、４８、４８が、それぞれ形成されている。
【００３１】
この接続部３０と胴部２８との結合状態において、取付部３０ｂ（３０ｃ）の下端が胴部２８内に配された環状のシールゴム５０の上面に圧着され、これにより、両者間が密閉されるように構成されている。
【００３２】
上下の取付部３０ｂ、３０ｃは、口径の異なる２種類のペットボトル４の口部にそれぞれ対応するように大小異なる内径に形成されており、各内周面にはそれぞれのペットボトル４の口部の雄ネジと螺合する雌ネジが形成されている。また、ハンドル部３０ａの外周面には、滑り止めの凹凸成形すなわちローレットが施されている。
【００３３】
給液経路部３２は、胴部２８の下端部の外周面に取付けられる漏斗状の給液口３２ａと、給液口３２ａの下端部に取着され扉３を貫通して飲料取出部２２の上部から外側に露出する可撓性チューブ３２ｂとよりなる。給水口３２ａの上端部の内周面には、胴部２８下端部の突起３６と弁軸支持部４０ｂとの間に挿入され、図４の矢印Ｋの方向に給液経路部３２を捻ることにより、胴部２８の各突起３６、３６、３６の上方にそれぞれ潜入して係止される３個の独立した突起５２、５２、５２が形成されている（図６（ａ）参照）。
【００３４】
この給液経路部３２と胴部２８との結合状態において、給液経路部３２の上端開口部は、胴部２８下端部に周方向に所定の間隔を開けて設けられた３個の突起５３、５３、５３に部分的に当接しており、これにより、図６（ａ）及び図８に示すように、給液経路部３２の内周面と胴部２８の外周面との間には、胴部２８内に外気を流入させるための空気流路５４が形成されている。
【００３５】
符号５６は、栓部材２６の給液経路部３２を飲料取出部２２に導くための栓部材ガイド部であり、図５に示すように、漏斗状に形成され、その下部の管状部が、容器保持部１２の下方にて扉３の内側から外側に下方に傾斜して貫通する扉貫通孔５７に着脱自在に挿入されている。この栓部材ガイド部５６は、その上端開口部に、栓部材２６を支持するとともにガイドする前後のガイドリブ５８、５８を有し、上部に給液経路部３２の給液口３２ａを収納し、下部の管状部に可撓性チューブ３２ｂが挿入される。
【００３６】
符号６０は、ペットボトル４内の飲料の流出を制御する制御部であり、扉３の外面側から操作可能に配された操作部である押しボタン６２と、栓部材２６の弁操作部４０ｃを上方に押し上げる作用レバー６４と、押しボタン６２の押圧力を作用レバー６４に伝達する伝達レバー６６とよりなる。
【００３７】
図５及び図７に示すように、押しボタン６２は、飲料取出部２２において扉３を内外に水平に貫通する扉貫通孔６８に摺動自在に配され、扉３内面に配された伝達レバー６６の下方腕を後方に押圧できるよう構成されている。
【００３８】
伝達レバー６６は、ハウジング７０内に固定された水平軸７１に回動自在に取付けられ、作用レバー６４は、ハウジング７０の上方にて扉３内面に固定された水平軸７２に回動自在に取付けられており、両レバー６６、６４は、水平軸７３を介して回動自在に接続されている。
【００３９】
作用レバー６４の上方腕は、水平軸７２への取付部から上方かつ前方に延設され、栓部材ガイド部５６に設けられたスリット５６ａからその内部に至り、さらに給液経路部３２の外周面に沿って左右両側に延びる。そして、給液経路部３２の最大径付近にて栓部材２６の軸方向に延びる左右の押圧板部６４ａ、６４ａを有し、この押圧板部６４ａ、６４ａの上端が、弁操作部４０ｃの下面に当接している。
【００４０】
以上より、図７に示すように、押しボタン６２を後方に押圧すると、伝達レバー６６の下方腕の後方への回動によりその上方腕が前方に回動するとともに作用レバー６４の下方腕が前方に回動してその上方腕が上方に回動する。これにより、押圧板部６４ａ、６４ａが弁操作部４０ｃを上方に押し上げ、もって、弁３８が開く。そして、押しボタン６２の押圧を止めると、弁操作部４０ｃがスプリング４２により下方に押し戻されて、これにより作用レバー６４及び伝達レバー６６が回動して押しボタン６２を前方に押し戻して元の状態に戻る。
【００４１】
なお、栓部材ガイド部５６及び押しボタン６２が挿入されている扉３の貫通孔５７、６８には、図５に示すように、熱漏洩を低減させるため、スポンジ状のシール材がそれぞれ周設されている。
【００４２】
つぎに、この冷却飲料供給装置１０の作用について説明する。
【００４３】
（１）準備段階
本装置１０を使用する場合には、まず、ペットボトル４の口部に栓部材２６をネジ止めにより取付ける。このとき、ペットボトル４の口部の径に応じて、栓部材２６の胴部２８に対する接続部３０の取付方向を変えておく。すなわち、口径の小さいペットボトル４の場合には、図４に示すように内径の小さい取付部３０ｂが外側に向くように、口径の大きいペットボトル４の場合には、図５に示すように内径の大きい取付部３０ｃが外側に向くように、接続部３０を胴部２８に取付ける。
【００４４】
そして、図３に示すように、可動底板２０を立て回転支持板１４を後方に傾けた状態で、ペットボトル４を上下逆さにしてボトル保持部１２内に装入する。この装入とともに回転支持板１４が回転して、ペットボトル４が後方に落下しないように保持される。また、ペットボトル４先端の栓部材２６は、ボトル保持部１２底板の挿入孔１８に挿入され、栓部材ガイド部５６にセットされる。これにより、図５に示す飲料供給待機状態となる。
【００４５】
（２）飲料供給待機状態
この状態では、ペットボトル４内の飲料の重力及びスプリング４２の付勢力によって、図５に示すように栓部材２６の弁３８が閉じられている。
【００４６】
（３）飲料供給状態
コップＣを飲料取出部２２の押しボタン６２に押し当てると、図８に示すように伝達レバー６６及び作用レバー６４がそれぞれ回動して、作用レバー６４の押圧板部６４ａ、６４ａが栓部材２６の弁操作部４０ｃを上方に押し上げる。これにより、胴部２８内の弁３８が上方に移動して開き、ペットボトル４内の飲料が、図８に矢印Ｆで示すように給液経路部３２に流出し、可撓性チューブ３２ｂを通って扉３外の飲料取出部２２に導かれ、該チューブ３２ｂの先端から流出してコップＣに注がれる。このとき、図８に点線矢印Ｇで示すように胴部２８と給液経路部３２との結合部に設けられた空気流路５４を通って、弁３８に下方から空気が供給される。そのため、ペットボトル４内の飲料が外気に良好に置換され、よって、ペットボトル４内の飲料をスムースに流出させることができる。
【００４７】
コップＣを押しボタン６２から離すと、スプリング４２の付勢力及びペットボトル４内の飲料の重力により、弁３８が下って飲料流路を閉鎖するとともに、弁操作部４０ｃが下方に押し戻され、これにより、作用レバー６４、伝達レバー６６及び押しボタン６２が元の状態に戻り、飲料供給待機状態に戻る。
【００４８】
（４）飲料非供給状態
例えば冬場など、本装置１０を飲料供給用に供しないときには、可動底板１４を倒して水平にする（図３参照）。これにより、ボトル保持部１２底板の挿入孔１８が閉蓋され、このボトル保持部１２内にペットボトルや他の収納物を収納することができ、ボトル保持部１２がデッドスペースとならない。
【００４９】
以上よりなる冷却飲料供給装置１０であると以下の効果を奏する。
【００５０】
1)  市販のペットボトル飲料をそのまま飲料供給用のタンクとして使用するので、該タンクは一本毎に新しいものに更新され、従来の専用タンクのように内面に水垢やミネラル分が付着することがない。よって、手入れが簡便であり、かつ、衛生的である。また、扉３を開閉することなく冷蔵室２内の飲料を取出すことができるため、扉開閉に伴なう消費電力を削減することができる。
【００５１】
2)  栓部材２６が、扉３を内外に貫通して、ペットボトル４の口部と飲料取出部２２とを接続しているので、ペットボトル交換の度に飲料流路の全てを一体で取外すことができ、よって、飲料流路の清掃忘れを防止することができる。また、栓部材２６が、胴部２８と接続部３０と給液経路部３２とカバー４４とに分割可能であるため、その清掃も容易である。
【００５２】
3)  胴部２８と接続部３０、胴部２８と給液経路部３２、及び胴部２８とカバー４４との結合を、その結合部に設けた独立した複数の突起３４、３６、４６、４８、５２により、それら突起同士を係合させることにより行なうので、該結合がワンタッチで短時間で行なえる。即ち、例えば胴部２８と接続部３０との結合においては、胴部２８の上端部に接続部３０の取付部３０ｂを夫々の突起３４、４８が重ならないようにして挿入し、接続部３０を少し捻る、即ちわずかに回動させるだけで、両者の結合がなされる。このように栓部材２６の各部材間の着脱が容易であるため、上記清掃が楽である。
【００５３】
4)  弁３４を支持する弁支持部材４０が、空気流路５４を通って給液経路部３２の外側に延出され、その延出部に胴部２８の外周を取囲む環状の弁操作部４０ｃが形成されているので、扉３の外側まで貫通する給液経路部３２の外側から胴部２８内の弁３８を直接作動させることができる。また、弁操作部４０ｃが環状に形成されているので、ペットボトル４をボトル保持部１２に装着する際に、弁操作部４０ｃと作用レバー６４との栓部材２６の円周方向における位置決めが不要である。
【００５４】
5)  スプリング４２が、胴部２８の外周を取囲むように飲料流路外に配されているため、飲料の流れがスムースであり、飲料流路の清掃性に優れ、スプリング４２の腐食を防止することができ、また、飲料流路内に残留する飲料の量を削減して飲料しずく量を削減することができ、さらに、栓部材２６の構造が簡素化される。
【００５５】
6)  胴部２８外周に配された弁操作部４０ｃの周囲を覆うカバー４４を有するため、ペットボトル４をボトル保持部１２に取付けるとき等に、弁操作部４０ｃを誤って動作させることがなく、飲料洩れを防止することができる。
【００５６】
7)  図６（ａ）に示すように、弁軸支持部４０ｂが胴部２８の下端部外周面に設けられた複数の突起３６、３６、３６間を延びて配されているので、弁支持部材４０の回転を防止することができ、操作性に優れる。
【００５７】
8)  給液経路部３２の扉３を内外に貫通する部分に可撓性チューブ３２ｂを用いているため、飲料取出部２２及びボトル保持部１２の設計自由度が高い。
【００５８】
9)  弁３８の上下両面を凸状にしているため、弁３８上面における飲料の残留を防止することができる。
【００５９】
10) 弁軸支持部４０ｂの断面形状を、図６（ｂ）に示すように、上部に鋭角部を有するように形成しているため、弁３８の下方領域における飲料の残留を防止することができる。
【００６０】
図１０は、栓部材２６の他の構成例に係る栓部材２６ａを示したものである。
【００６１】
この栓部材２６ａにおいては、弁３８を閉状態に付勢するスプリング４２が飲料流路内に配されている。すなわち、スプリング４２は、弁支持部材４０の弁軸４０ａに取付けられており、その下端が弁軸４０ａの下端部に配され、上端が胴部２８の内周面から内方に延成された弁軸ガイド７４、７４に係止されている。
【００６２】
また、弁３８が、上下２層構造に形成されており、上層３８ａが硬質樹脂よりなる補強部材により形成されており、下層３８ｂが軟質ゴムより形成されている。
【００６３】
さらに、弁操作部４０ｃの外周を覆うカバー４４が胴部２８と一体に成形されており、すなわち、栓部材２６ａは、胴部２８、接続部３０及び給液経路部３２の３分割式に形成されている。
【００６４】
この栓部材２６ａは、上述した栓部材２６と同様に、ペットボトル４の口部に取付けられ、このペットボトル４のボトル保持部１２への装入により、栓部材ガイド部５６にセットされ、飲料の供給を行なう。
【００６５】
この栓部材２６ａは弁３８が補強部材によって補強されているので、ペットボトル飲料として炭酸飲料を使用した場合における、ボトル内圧の上昇による弁３８からの飲料噴出を防止することができる。
【００６６】
【発明の効果】
本発明の冷蔵庫であれば、市販の飲料容器をそのまま用いてその容器を飲料供給用のタンクとして使用し、一本毎に新しいものに更新するので、従来の専用タンクのように内面に水垢やミネラル分が付着することがない。そのため、タンク清掃が不要であるため手入れが簡便であり、かつ衛生的である。また、飲料容器交換の度に、飲料が流れる全流出経路である栓部材を一体で取外すことができるので、飲料流路全体の清掃忘れを防止することができる。
【図面の簡単な説明】
【図１】本発明の一実施例に係る冷却飲料供給装置１０を備えた冷蔵庫１の正面図である。
【図２】冷蔵庫１の冷蔵室扉３の内面を示した図である。
【図３】冷蔵庫１の冷蔵室２の要部縦断面図である。
【図４】冷却飲料供給装置１０の栓部材２６の分解斜視図である。
【図５】飲料供給待機状態における冷却飲料供給装置１０の要部縦断面図である。
【図６】（ａ）は、図４のＡ−Ａ断面図であり、（ｂ）は、図６（ａ）のＢ−Ｂ断面図である。
【図７】冷却飲料供給装置１０の制御部６０の斜視図である。
【図８】飲料供給状態における冷却飲料供給装置１０の要部縦断面図である。
【図９】冷却飲料供給装置１０のボトル保持部１２の要部拡大斜視図である。
【図１０】栓部材２６の他の構成例である栓部材２６ａの縦断面図である。
【符号の説明】
２……冷蔵室
３……扉
４……ペットボトル
１０……冷却飲料供給装置
１２……ボトル保持部
２２……飲料取出部
２６、２６ａ……栓部材
２８……胴部
３０……接続部
３２……給液経路部
３４、３６、４８、５２……突起
３８……弁
４０……弁支持部材
４０ｃ…弁操作部
４２……スプリング
５４……空気流路
【図１】
0003639031.tif 000002
【図２】
0003639031.tif 000003
【図３】
0003639031.tif 000004
【図４】
0003639031.tif 000005
【図５】
0003639031.tif 000006
【図６】
0003639031.tif 000007
【図７】
0003639031.tif 000008
【図８】
0003639031.tif 000009
【図９】
0003639031.tif 000010
【図１０】
0003639031.tif 000011